(57)【要約】本発明は殺菌装置に係り、特に布団又はカーペットなどのように、接触面の変形がひどくて柔らかく、纎維汚染物が多い掃除対象物上で容易に移動可能であり、前記掃除対象物の表面に棲息する細菌及びだになどの害虫を殺菌及び殺虫し、殺菌及び殺虫された細菌及びだになどを容易に除去することができる寝具用殺菌装置に関するものである。本発明の寝具用殺菌装置は、底面に陥没するように形成された紫外線照射空間と、前記紫外線照射空間に形成された吸入口と、側面に形成された排出口と、前記吸入口と排出口を連結する空気通路と、殺菌しようとする対象物が底面に吸着されることを防止するために、前記紫外線照射空間で底面が陷沒してなり、側面に延長された吸着防止通路とを含むハウジングと；前記ハウジングの紫外線照射空間に紫外線を発光するために、ハウジングの内部に設置された第１紫外線発光手段と；吸入口側の空気を排出口側に排出するために、前記空気通路に設置されたファンと；前記ファンを駆動するためのモーターと；空気中の異物を浄化するために、前記吸入口と前記モーター間の空気通路上に設置された第１フィルター部と；前記モーターと第１紫外線発光手段を制御するための命令信号を出力するための操作部と；前記操作部の命令信号を受け、前記モーターと第１紫外線発光手段を制御するための制御部と；を含む。
2008543356.tif 000002
【特許請求の範囲】
【請求項１】
底面に凹状に形成された紫外線照射空間と、前記紫外線照射空間に形成された吸入口と、側面に形成された排出口と、前記吸入口と排出口を連結する空気通路と、殺菌しようとする対象物が底面に吸着されることを防止するために、前記底面内に凹状に形成されるとともに、前記紫外線照射空間から側面に延長された吸着防止通路とを含むハウジングと；
前記ハウジングの紫外線照射空間に紫外線を発光するために、ハウジングの内部に設置された第１紫外線発光手段と；
吸入口側の空気を排出口側に排出するために、前記空気通路に設置されたファンと；
前記ファンを駆動するためのモーターと；
空気中の異物を浄化するために、前記吸入口と前記モーター間の空気通路上に設置された第１フィルター部と；
前記モーターと第１紫外線発光手段を制御するための命令信号を出力するための操作部と；
前記操作部の命令信号を受け、前記モーターと第１紫外線発光手段を制御するための制御部と；を含むことを特徴とする、寝具用殺菌装置。
【請求項２】
前記ハウジングの底面には、殺菌対象物体の有無を感知するために設置された少なくとも一つの近接センサーをさらに含み、
前記制御部は、前記近接センサーの出力信号を受け、前記第１紫外線発光手段とモーターを制御することを特徴とする、請求項１に記載の寝具用殺菌装置。
【請求項３】
前記ハウジングの内部から底面側に突設され、殺菌対象物を打つための打撃部をさらに含むことを特徴とする、請求項１に記載の寝具用殺菌装置。
【請求項４】
前記空気通路上のモーターと排出口との間には、前記第１フィルター部とモーターを通過した空気中の異物を濾過し、前記モーターの発生熱の一部が外部に放出されることを遮断し、前記熱によって、濾過された異物中の細菌及び害虫を殺菌及び殺虫するために設置された第２フィルター部をさらに含むことを特徴とする、請求項１に記載の寝具用殺菌装置。
【請求項５】
前記打撃部は、前記ハウジングの内部に設置された磁石と、前記磁石に隣り合って設置された電磁石と、一側はヒンジで支持され、他側に前記電磁石が設置され、前記電磁石の極性が変わることによって上下に搖れる揺動バーと、前記揺動バーに設置され、前記揺動バーが搖れることによって対象物を打つ打撃棒とを含み、
前記打撃棒はハウジングの吸着防止通路に突設され、
前記制御部は、前記操作部の命令信号を受け、前記電磁石に電源を印加して、極性を変えるように制御することを特徴をとする、請求項３に記載の寝具用殺菌装置。
【請求項６】
前記吸着防止通路には、ハウジングの内部側から外部側に垂直方向に突出した複数のラウンド型突起を含み、前記複数の突起は、ハウジングの底面よりも内部側において一定間隔離隔して配置されたことを特徴とする、請求項１〜５のいずれか１項に記載の寝具用殺菌装置。
【請求項７】
前記複数の突起はハウジングの底面から外部側に一定間隔だけさらに突出したことを特徴とする、請求項６に記載の寝具用殺菌装置。
【請求項８】
前記ハウジングの内部の第１フィルターに隣接して設置され、前記フィルターによって濾過された微細害虫を殺虫するための第２紫外線発光手段と；
前記ハウジングの内部の排出口の近傍に設置され、排出口を通じて排出される空気中の微細害虫を加熱して除去するためのヒーターと；をさらに含み、
前記制御部は、前記操作部の命令信号を受け、前記第２紫外線発光手段とヒーターを制御することを特徴とする、請求項６に記載の寝具用殺菌装置。
【請求項９】
紫外線ランプ、紫外線ＬＥＤ及び前記モーターのそれぞれの動作状態を表示するために、前記ハウジングの外面に設置され、複数のＬＥＤを含む表示部をさらに含み、前記制御部は、前記操作部の命令信号を受け、前記複数のＬＥＤの点灯を制御することを特徴とする、請求項８に記載の寝具用殺菌装置。
【請求項１０】
前記吸着防止通路には、吸着防止通路の始端から終端まで吸着防止通路を取り囲むように形成された複数のリブを含むことを特徴とする、請求項１に記載の寝具用殺菌装置。
【請求項１１】
前記ハウジングの内部には、前記モーターが装着されるように、一部が外部に突出し、吸入された空気を排出するための複数の放出孔が形成されたモーター装着部がさらに形成され、前記第２フィルター部は、前記モーター装着部を取り囲むようにハウジングの外面に着脱可能に設置されることを特徴とする、請求項４に記載の寝具用殺菌装置。
【請求項１２】
紫外線を放射する紫外線ランプを備えた紫外線放射部と；
外部の空気を吸入するために形成された吸入口と、側面に形成された排出口と、前記吸入口と排出口を連結する空気通路と、殺菌しようとする対象物が底面に吸着されることを防止するために、底面内に凹状に形成されるとともに、吸入口から側面に延長された吸着防止通路とを含むハウジングと；
前記ハウジングの内部に設置され、吸入口側の空気を前記空気通路を通じて排出口側に排出するためのファンを備えたモーターと；
前記吸入口とモーター間の空気通路上に設置された第１フィルター部と；
前記空気通路上のモーターと排出口との間には、前記第１フィルター部とモーターを通過した空気中の異物を濾過し、前記モーターの発生熱の一部が外部に放出されることを遮断し、前記熱によって、濾過された異物中の細菌及び害虫を殺菌及び殺虫するための第２フィルター部と；を含むことを特徴とする、寝具用殺菌装置。
【請求項１３】
前記ハウジングの内部から底面側に突設され、殺菌対象物を打つための打撃部をさらに含むことを特徴とする、請求項１２に記載の寝具用殺菌装置。
【請求項１４】
前記紫外線放射部は、前記ハウジングの吸入側上面に脱着可能に設置され、前記紫外線放射部は、前記紫外線ランプに電源を供給するためのバッテリーと、前記紫外線ランプへ前記バッテリーの電源供給を遮断するためのスイッチとをさらに含むことを特徴とする、請求項１２に記載の寝具用殺菌装置。
【請求項１５】
前記吸着防止通路には、吸着防止通路からハウジングの上面まで延設され、吸着防止通路側への空気流入通路を確保するための複数のリブをさらに含むことを特徴とする、請求項１２に記載の寝具用殺菌装置。
【請求項１６】
一側は吸着防止通路に接し、他側はハウジングの外面から一定間隔離隔してハウジングの上面まで取り囲むように設置される吸着防止キャップをさらに含むことを特徴とする、請求項１２に記載の寝具用殺菌装置。
【請求項１７】
前記ハウジングの内部には、前記モーターが装着されるように一部が外部に突出し、吸入された空気を排出するための複数の放出孔が形成されたモーター装着部がさらに形成され、前記第２フィルター部は、前記モーター装着部を取り囲むようにハウジングの外面に着脱可能に設置されることを特徴とする、請求項１２に記載の寝具用殺菌装置。
【請求項１８】
前記紫外線放射部は、前記紫外線ランプがハウジングの底面に紫外線を放射するように、ハウジングの内部に設置され、前記ハウジングの上面には、ハウジング内部に設置された紫外線ランプの動作状態を識別可能にする表示窓がさらに設置されていることを特徴とする、請求項１２に記載の寝具用殺菌装置。
【請求項１９】
前記打撃部は、前記ハウジングの内部に設置された磁石と、前記磁石に隣り合って設置された電磁石と、一側はヒンジで支持され、他側に前記電磁石が設置され、前記電磁石の極性が変わることによって上下に搖れる揺動バーと、前記揺動バーに設置され、前記揺動バーが搖れることによって対象物を打つ打撃棒とを含み、前記打撃棒はハウジングの吸着防止通路に突設されることを特徴とする、請求項１２に記載の寝具用殺菌装置。
【請求項２０】
前記第２フィルター部は、
前記ハウジングのモーター装着部を取り囲むようにハウジングと結合するための結合手段、及び内部の空気が排出される複数の排出孔が備えられたたケースと；
前記ケースの内部に、空気中の異物を濾過するために、設置されたフィルターと；を含み、
前記第２フィルター部は、前記第１フィルター部より空気透過率が低く、
前記モーターには、モーターの発熱を感知し、一定値以上であればモーターの動作を遮断する過熱防止ユニットがさらに設置されていることを特徴とする、請求項１７に記載の寝具用殺菌装置。
【請求項２１】
前記ハウジングの前記第２フィルター部の排出孔に隣接した部位には、前記第２フィルター部の排出孔から放出された空気が一定方向に排出されるようにガイドするガイドバーがさらに設置されていることを特徴とする、請求項１７〜２０のいずれか１項に記載の寝具用殺菌装置。
【請求項２２】
紫外線を放射する紫外線ランプが備えられたた紫外線放射部と；
外部の空気を吸入するために形成された吸入口と、側面に形成された排出口と、前記吸入口と排出口を連結する空気通路と、殺菌しようとする対象物が底面に吸着されることを防止するために、底面の一部、及び前記側面に延長される吸着防止通路とを備えたハウジングと；
前記ハウジングの内部に設置され、吸入口側の空気を前記空気通路を通じて排出口側に排出するためのファンが備えられたモーターと；
前記ハウジングの内部から底面側に突設され、殺菌対象物を打つための打撃部と；を含み、
前記打撃部は、空気吸入方向に前記吸入口の前端に設置され、前記紫外線放射部は、ハウジングの内部の打撃部の前端に設置され、底面から一定間隔離隔して設置されることを特徴とする、寝具用殺菌装置。
【請求項２３】
前記打撃部と吸入口との間には、掃除対象物の表面の異物を掃き出すためのブラシ部がさらに設置されていることを特徴とする、請求項２２に記載の寝具用殺菌装置。
【請求項２４】
前記ブラシ部は、
前記ハウジングの底面から一定部分突設されたブラシと；
前記ブラシに隣接したハウジングの内部に設置され、前記ブラシを回転させるためのモーターと；を含むことを特徴とする、請求項２３に記載の寝具用殺菌装置。
【発明の詳細な説明】
【技術分野】
【０００１】
本発明は殺菌装置に係り、特に布団又はカーペットなどのように、接触面の変形がひどくて柔らかいし、纎維汚染物が多い掃除対象物上で容易に移動可能であり、前記掃除対象物の表面に棲息する細菌及びだになどの害虫を殺菌及び殺虫し、殺菌及び殺虫された細菌及びだになどを容易に除去することができる寝具用殺菌装置に関するものである。また、本発明は、寝具のような掃除対象物から、前記掃除対象物の表面にくっついているほこりなどの異物を容易に除去することができる寝具用殺菌装置に関するものである。
【背景技術】
【０００２】
一般に、紫外線を利用する殺菌装置は、紫外線ランプ（Ｕｌｔｒａｖｉｏｌｅｔ Ｌａｍｐ）を点灯させ、紫外線から出る波長を利用して細菌の表皮とＤＮＡを破壊させる装置であって、従来の紫外線ランプが設置された清掃機を図２２を参照して説明すれば次のようである。図２２は大韓民国公開特許公報第１０−２００４−０１００４０９号に開示された紫外線ランプを備えた清掃機を概略的に示している。
【０００３】
下部の開放した吸着板１の本体１ａの内部には紫外線ランプ１ｃが複数個取り付けられ、本体１ａの内部の上面から下部面の方向に、カーペットなどの纎維部材のカーペット毛の下端部まで接触するための突起１ｄが複数個取り付けられている。
【０００４】
しかし、前記のような従来の清掃機は、布団又はベッドシート上のほこりなどの異物を吸入するために、清掃機を接近させれば、その吸入力によって布団又はベッドシートの表面を成す纎維部材が前記清掃機の吸着板にくっつく現象が発生する。前記纎維部材が前記吸着板にくっつくことにより、纎維部材と吸着板との間に真空が形成され、これにより清掃機の前進及び後進などの移動が容易でない問題点が発生する。
【０００５】
また、前記寝具類などの纎維部材の毛糸間に棲息する細菌及び害虫は殺菌及び殺虫が容易でない欠点があり、やはり寝具類などの纎維部材の毛糸間にくっついているほこりなどの異物はモーターの吸入力でも除去が容易でない欠点がある。
【０００６】
また、従来の紫外線ランプが備えられた清掃機は、安全装置を備えていないので、子供の操作で人体に有害な紫外線が人に照射される問題点がある。
【０００７】
また、だになどの害虫は紫外線を照射してもなかなか死なないので、清掃機の吸入力によって内部に吸入され、フィルターで濾過された害虫がさらに清掃機の外部に出て寝具類などに棲息することになるため、害虫除去の効率が低い欠点がある。
【発明の開示】
【発明が解決しようとする課題】
【０００８】
前記のような問題点を解決するための本発明は、布団又はベッドシート、カーペットなどの接触面の変形がひどくて纎維汚染物が多い対象物での吸入力発生の際、纎維部材がくっついても真空が発生しなく、掃除対象物上での移動が容易である寝具用殺菌装置を提供することにその目的がある。
【０００９】
また、本発明は、寝具類などの掃除対象物を打って纎維部材の毛糸間にくっついているか棲息する細菌、害虫及びほこりなどを掃除対象物から打ち落として除去することができる寝具用殺菌装置を提供することに他の目的がある。
【００１０】
また、本発明は、殺菌装置の内部フィルターと、排出口に害虫及び細菌を除去するための手段をさらに備えて、害虫及び細菌の殺虫及び殺菌の効率が高い寝具用殺菌装置を提供することにさらに他の目的がある。
【００１１】
また、本発明は、殺菌装置の内部フィルターと、排出口に害虫及び細菌を除去するためのフィルターを二重に備えて、害虫及び細菌の殺虫及び殺菌の効率が高い寝具用殺菌装置を提供することにさらに他の目的がある。
【００１２】
また、本発明は、紫外線放射手段を着脱可能にし、紫外線放射のみができるようにして、使用者に便利さを提供することにさらに他の目的がある。
【課題を解決するための手段】
【００１３】
前記のような目的を達成するための本発明の一面によれば、底面に凹状に形成された紫外線照射空間と、前記紫外線照射空間に形成された吸入口と、側面に形成された排出口と、前記吸入口と排出口を連結する空気通路と、殺菌しようとする対象物が底面に吸着されることを防止するために、前記底面内に凹状に形成されるとともに、前記紫外線照射空間から側面に延長された吸着防止通路とを含むハウジングと；前記ハウジングの紫外線照射空間に紫外線を発光するために、ハウジングの内部に設置された第１紫外線発光手段と；吸入口側の空気を排出口側に排出するために、前記空気通路に設置されたファンと；前記ファンを駆動するためのモーターと；空気中の異物を浄化するために、前記吸入口と前記モーター間の空気通路上に設置された第１フィルター部と；前記モーターと第１紫外線発光手段を制御するための命令信号を出力するための操作部と；前記操作部の命令信号を受け、前記モーターと第１紫外線発光手段を制御するための制御部と；を含む、寝具用殺菌装置が提供される。
【００１４】
本発明の寝具用殺菌装置は、一側底面と前記底面に隣り合う側面まで吸着防止通路が延長されるので、前記底面側吸着防止通路が纎維部材で塞がっても、前記側面側吸着防止通路での空気の吸入が可能となる。
【００１５】
また、本発明の寝具用殺菌装置は、前記ハウジングの底面には、殺菌対象物体の有無を感知するために設置された少なくとも一つの近接センサーをさらに含み、前記制御部は、前記近接センサーの出力信号を受け、前記第１紫外線発光手段とモーターを制御することとしてもよい。
【００１６】
前記複数の近接センサー、つまり赤外線センサーをハウジングの底面に設置し、発光端から発光された赤外線を受光端で感知することができなければ、発光端の正面で感知される物体、つまり対象物がないと判断し、受光端で感知すれば、対象物があると判断し、対象物がないときは動作を停止することで、使用者に便宜を提供する。
【００１７】
また、本発明の寝具用殺菌装置は、前記ハウジングの内部から底面側に突設され、殺菌対象物を打つための打撃部をさらに含み、前記打撃部は、前記ハウジングの内部に設置された磁石と、前記磁石に隣り合って設置された電磁石と、一側はヒンジで支持され、他側に前記電磁石が設置され、前記電磁石の極性が変わることによって上下に搖れる揺動バーと、前記揺動バーに設置され、前記揺動バーが搖れることによって対象物を打つ打撃棒とを含み、前記打撃棒はハウジングの吸着防止通路に突設され、前記制御部は、前記操作部の命令信号を受け、前記電磁石に電源を印加して、極性を変えるように制御することとしてもよい。
【００１８】
このように、布団又はカーペットなどの寝具類などを殺菌及び掃除するとき、打撃部を動作させて、前記布団及びカーペットの表面に存在する微細害虫及びほこりなど打ち落とし、前記打ち落とされた微細害虫及びほこりなどを殺菌するか、あるいは吸入して除去することにより、殺菌及び掃除の効率の上昇する効果がある。
【００１９】
また、本発明の寝具用殺菌装置において、前記吸着防止通路には、ハウジングの内部側から外部側に垂直方向に突出した複数のラウンド型突起を含み、前記複数の突起は、ハウジングの底面よりも内部側において一定間隔離隔して配置されるか、あるいはハウジングの底面から外部側に一定間隔だけさらに突出することとしてもよい。
【００２０】
前記吸着防止通路に突起をさらに形成することで、カーペットなどの毛製寝具類の毛の下端まで突起が接触して、微細害虫及びほこりなどを除去する。
【００２１】
また、本発明の寝具用殺菌装置において、前記ハウジングの内部の第１フィルターに隣接して設置され、前記フィルターによって濾過された微細害虫を殺虫するための第２紫外線発光手段と；前記ハウジングの内部の排出口の近傍に設置され、排出口を通じて排出される空気中の微細害虫を加熱して除去するためのヒーターと；をさらに含み、前記制御部は、前記操作部の命令信号を受け、前記第２紫外線発光手段とヒーターを制御することとしてもよい。
【００２２】
本発明の殺菌装置は、前記のように、紫外線ランプの外に、前記フィルターの近傍に紫外線ＬＥＤをさらに設置し、排出口の近傍にヒーターを設置することで、殺菌装置のハウジング内部に流入する微細害虫を二重又は三重に撲滅する効果を有する。
【００２３】
また、本発明の殺菌装置は、紫外線ランプ、紫外線ＬＥＤ及び前記モーターのそれぞれの動作状態を表示するために、前記ハウジングの外面に設置され、複数のＬＥＤを含む表示部をさらに含み、前記制御部は、前記操作部の命令信号を受け、前記複数のＬＥＤの点灯を制御することとしてもよい。
【００２４】
また、本発明の殺菌装置において、前記吸着防止通路には、吸着防止通路の始端から終端まで吸着防止通路を取り囲むように形成された複数のリブを含むこととしてもよい。
【００２５】
本発明の殺菌装置は、前記吸着防止通路側に空気の通路を確保するために、吸着防止通路を取り囲むように複数のリブを形成又は設置することで、吸入力によって纎維部材が吸着されても、前記リブによって空気の通路が確保される。
【００２６】
本発明の他の面によれば、紫外線を放射する紫外線ランプを備えた紫外線放射部と；外部の空気を吸入するために形成された吸入口と、側面に形成された排出口と、前記吸入口と排出口を連結する空気通路と、殺菌しようとする対象物が底面に吸着されることを防止するために、底面内に凹状に形成されるとともに、吸入口から側面に延長された吸着防止通路とを含むハウジングと；前記ハウジングの内部に設置され、吸入口側の空気を前記空気通路を通じて排出口側に排出するためのファンを備えたモーターと；前記吸入口とモーター間の空気通路上に設置された第１フィルター部と；前記空気通路上のモーターと排出口との間には、前記第１フィルター部とモーターを通過した空気中の異物を濾過し、前記モーターの発生熱の一部が外部に放出されることを遮断し、前記熱によって、濾過された異物中の細菌及び害虫を殺菌及び殺虫するための第２フィルター部と；を含む、寝具用殺菌装置が提供される。特に、前記ハウジングの内部には、前記モーターが装着されるように一部が外部に突出し、モーターによって吸入された空気を排出するための複数の放出孔が形成されたモーター装着部がさらに形成され、前記第２フィルター部は、前記モーター装着部を取り囲むようにハウジングの外面に着脱可能に設置されることが好ましい。前記第２フィルター部は、ケースと、前記ケースの内部に設置されたフィルターとを含み、前記フィルターは、第１フィルター部の空気透過率より低い空気透過率を有する材質のフィルターを使用することがさらに好ましい。すなわち、前記第２フィルター部は、モーターのファンを通過した空気中の異物を浄化し、モーターで発生する熱を一部保有し、フィルターで濾過された微細害虫及び細菌を殺虫する機能をする。この際、前記モーターには過熱防止手段がさらに設置されることにより、前記第２フィルター部によってモーターの熱が外部に排出できなくて過熱することを遮断して、過熱による事故発生を事前に防止することになる。
【００２７】
また、本発明の寝具用殺菌装置は、前記ハウジングの内部から底面側に突設され、殺菌対象物を打つための打撃部をさらに含んでもよい。寝具類の表面に強くくっついたほこり又は微細害虫を、前記打撃部で打撃を加えて寝具類の表面から打ち落とし、モーターの回転によるファンの吸入力によって、打ち落とされたほこり又は微細害虫を吸入することにより、寝具類の表面に存在するほこり又は微細害虫を容易に除去することができる。前記打撃部は、電磁石と前記電磁石と隣接する永久磁石とを設置し、前記電磁石の極性を変化させて揺動を引き起こし、前記揺動によって対象物を打つか、あるいは振動モータを用いて具現することとしてもよい。
【００２８】
また、本発明の寝具用殺菌装置において、前記紫外線放射部は、前記ハウジングの底面に紫外線を発光するように、ハウジングの内部に設置されるか、あるいはハウジングの上面に脱着可能に設置されてもよい。前記ハウジングの上面に脱着可能に設置される紫外線放射部は、紫外線放射部のみを別に脱去して紫外線殺菌のみを行うことができるので、別途の電源供給のためのバッテリーと、紫外線ランプのオン／オフのためのスイッチとを備えることが好ましい。
【００２９】
また、本発明の寝具用殺菌装置は、底面とその底面に隣接した側面まで延長されるように吸着防止通路が形成されているが、寝具類のスリップ現象が発生して吸着防止通路まで塞ぐ現象が生じる可能性があるので、吸着防止通路からハウジングの上面まで延長されるように形成もしくは設置される複数のリブ又は別途のキャップを設置することが好ましい。この際、複数のリブが形成もしくは設置される場合には、それぞれのリブ間に、かつハウジングの上面とリブ間に空気が流入することができ、別途のキャップを設置する場合には、吸着防止通路に連通するように接し、ハウジングから一定間隔離隔して取り囲まれるように設置されることにより、空気の流入通路を確保することが好ましい。
【００３０】
また、本発明の寝具用殺菌装置において、前記紫外線放射部がハウジングの内部に設置される場合には、内部の紫外線ランプの動作状態を外部で識別可能にするために、表示窓がさらに設置される。前記表示窓は、孔を形成し、紫外線ランプの光は透過させるが紫外線は遮断する部材を前記孔に設置することで、外部で前記紫外線ランプの動作状態を易しく識別することができるようにすることが好ましい。
【００３１】
一方、本発明のさらに他の面によれば、紫外線を放射する紫外線ランプが備えられた紫外線放射部と；外部の空気を吸入するために形成された吸入口と、側面に形成された排出口と、前記吸入口と排出口を連結する空気通路と、殺菌しようとする対象物が底面に吸着されることを防止するために、底面の一部、及び前記側面に延長される吸着防止通路とを備えたハウジングと；前記ハウジングの内部に設置され、吸入口側の空気を前記空気通路を通じて排出口側に排出するためのファンが備えられたモーターと；前記ハウジングの内部から底面側に突設され、殺菌対象物を打つための打撃部と；を含み、前記打撃部は、空気吸入方向に前記吸入口の前端に設置され、前記紫外線放射部は、ハウジングの内部の打撃部の前端に設置され、底面から一定間隔離隔して設置される、寝具用殺菌装置が提供される。
【００３２】
また、本発明の寝具用殺菌装置において、前記打撃部と吸入口との間には、掃除対象物の表面の異物を掃き出すためのブラシ部がさらに設置されることができる。
【００３３】
また、寝具用殺菌装置において、本発明の前記ブラシ部は、前記ハウジングの底面から一定部分突設されたブラシと；前記ブラシに隣接したハウジングの内部に設置され、前記ブラシを回転させるためのモーターと；を含むことができる。
【発明を実施するための最良の形態】
【００３４】
以下、添付図面を参照して、本発明の好ましい実施例について詳細に説明する。図１は本発明の一実施例による殺菌装置を示す斜視図、図２は本発明の一実施例による殺菌装置の底面斜視図、図３は図１のＡ−Ａ線についての断面図、図４は本発明の一実施例による殺菌装置のフィルター部を説明するための分解斜視図である。
【００３５】
本実施例による殺菌装置１０００は、底面に陥没するように形成された紫外線照射空間５２と、前記紫外線照射空間５２に形成された吸入口（図示せず）と、側面に形成された排出口９０と、前記吸入口と排出口９０を連結する空気通路（図示せず）と、殺菌しようとする対象物が底面に吸着されることを防止するために、前記紫外線照射空間５２内で底面が陷沒して側面に延長された吸着防止通路１０を含むハウジング１００と；前記ハウジング１００の上面に設置され、外部からの入力を電気的信号に出力するための操作部２０と；前記ハウジング１００の上部に設置された取っ手４０と；を含む。その内部には、吸入力を発生するようにファン８１が取り付けられたモーター８０が前記空気通路上に設置され、前記ハウジング１００の内部には外部に紫外線を発光するための紫外線ランプ５０が設置され、前記モーター８０の動作により吸着防止通路１０を通じて吸入される空気中の異物を濾過するために、前記ハウジング１００の上面側に外部に分離可能なフィルター部３０が空気通路のファン８１の前端に設置されている。また、前記ハウジング１００の内部のフィルター部３０の周りに設置され、前記フィルター部３０によって濾過された微細害虫を殺菌するための紫外線ＬＥＤ１３０と、前記ハウジング１００の内部の排出口９０に隣接して設置され、排出口９０を通じて排出される空気中の微細害虫を加熱して除去するためのヒーター１１０をさらに含む。前記ハウジング１００の底面には、床上で移動し易いように車輪６０が設置されている。
【００３６】
前記図２の“Ａ”部分が図１１に詳細に示されている。本実施例の殺菌装置１０００は、前記ハウジング１００の内部に、底面側に突出するように、設置され、対象物を打つための打撃部１６０をさらに含む。前記打撃部１６０は、前記ハウジング１００の内部に設置された磁石１６１と、前記磁石１６１に隣り合って設置された電磁石１６３と、一側はヒンジで支持され、他側に前記電磁石１６３が設置され、前記電磁石１６３の極性が変わることにより、前記磁石１６１によって上下に搖れる揺動バー１６２と、前記揺動バー１６２に設置され、前記揺動バー１６２の揺動によって対象物を打つように、前記ハウジング１００の吸着防止通路１０側に突設された打撃棒１６４とを含む。
【００３７】
前記吸着防止通路１０は、ハウジング１００の内部側から下方に垂直方向に複数突出したラウンド型突起１１を含み、前記突起１１は、ハウジング１００の底面から内部側に一定間隔離隔して突出している。しかし、これに限定されるものではなく、外部側に一定間隔だけさらに突出させて形成することもできる。
【００３８】
前記ハウジング１００の内部は、前記吸着防止通路１０側の部分と前記フィルター部３０及び紫外線ＬＥＤ１３０が設置された部分が区画されており、前記モーター８０の動作により吸着防止通路１０を通じて吸入される空気が吸着防止通路１０側に逆流しないように、前記フィルター装着部１５０には、一方向にだけ開くチェックバルブ１４０が設置され、ハウジング１００の底面には、近づいた物体の有無を感知するための複数の赤外線センサーを含むセンサー部７０をさらに含む。そして、前記それぞれの紫外線ランプ５０、紫外線ＬＥＤ１３０、モーター８０の動作状態を表示するために、前記ハウジング１００の外面に設置され、複数のＬＥＤ２４〜２８を含む表示部をさらに含む。本実施例においては、操作部２０と一体に形成されたものを一例として説明する。
【００３９】
前記未説明符号１２０はモーター装着部、１４０はヒーター装着部である。
【００４０】
また、本実施例による殺菌装置１０００は、操作部から出力される信号を受けて、予め設定された制御信号を前記紫外線ランプ５０、ヒーター１１０及びモーター８０にそれぞれ出力し、前記センサー部７０から感知信号が入力されなければ、前記紫外線ランプ５０、紫外線ＬＥＤ１３０及びモーター８０に停止制御信号を出力し、操作部２０の出力信号を受けて、前記複数のＬＥＤ２４〜２８の点灯を制御する信号を出力し、前記操作部２０の出力信号を受けて、前記電磁石１６３に電源を印加し、極性が変わるように制御信号を出力する制御部２００を含む。
【００４１】
前記フィルター部３０は、前記ハウジング１００の上部側に脱着可能に設置されるもので、図４に示すように、フィルター部本体３１、フィルター３３、及びふた３２を備える。フィルター３３の入れ替え又はフィルター部３０の掃除の際には、前記ふた３２部分を分離して、フィルター３３を容易に入れ替るかフィルター部３０を掃除することができる。
【００４２】
前記のような本実施例の殺菌装置１０００は、布団のような寝具類に棲息する微細害虫を除去するための装置であって、紫外線ランプ５０を点灯して微細害虫を殺菌し、モーター８０を動作させてほこりや微細害虫を吸い込み、フィルター３３で濾過する。この際、前記吸着防止通路１０には複数の突起１１が形成され、底面から側面１２まで吸着防止通路１０が延設されているから、纎維材質がモーター８０の吸入力によってくっついても、前記側面１２に空気通路が確保されるので、閉塞現象が発生しない。
【００４３】
本実施例においては、前記吸着防止通路１０に複数の突起１１を形成したものを一例として説明するが、これに限定されるものではなく、図５に示すように、側面から底面まで吸着防止通路１０’を取り囲むように複数のリブを形成することもできる。
【００４４】
また、本実施例による殺菌装置１０００は、殺菌及び掃除対象物を打って、表面についている微細害虫及びほこりなどを表面から打ち落とす打撃部１６０を備えている。前記打撃部１６０は、ハウジング１００の内部に設置された磁石１６１と、前記磁石１６１に隣り合って設置された電磁石１６３と、一側は前記電磁石１６３が設置され、他側はヒンジで支持され、前記電磁石１６３の極性が変わるにしたがい、前記磁石１６１の磁場によって搖れる揺動バー１６２と、前記揺動バー１６２の設定位置に設置され、前記掃除対象物を打つ打撃棒１６４とを含む。前記打撃棒１６４は、前記ハウジング１００の吸着防止通路１０側に突設され、打撃棒１６４によって掃除対象物を打って、掃除対象物の表面についている微細なほこり及び害虫を打ち落とし、紫外線ランプ５０で殺菌し、モーター８０の動作により発生する吸入力でほこりを容易に除去することができる。
【００４５】
また、前記ハウジング１００の内部のフィルター装着部１５０は、外部との遮断のために区画されて形成され、モーター８０の動作によって空気が吸入されるときにだけ空気が流入するようにし、吸着防止通路１０側に空気が逆流しないようにチェックバルブ１４０が設置されている。特に、前記フィルター３３によって濾過された微細害虫を殺菌するための別途の紫外線ＬＥＤ１３０が設置されているので、微細害虫に対する殺菌効果が一層高い。さらに、ハウジング１００の排出口９０側にはヒーター１１０が設置されることにより、排出口９０を通じて排出される微細害虫を加熱して除去する三重の微細害虫殺菌の構造を有する。
【００４６】
図６は、前記ハウジング１００の底面に設置された車輪６０の代わりに、突起６１又はボール６２が設置された一実施例を示している。
【００４７】
図７乃至図１０を参照して、本実施例の制御部及びセンサー部の動作を詳細に説明すれば次のようである。
【００４８】
制御部２００は、操作部２０及びセンサー部７０の信号を受けて、モーター８０、紫外線ランプ５０、ＬＥＤ１３０、ヒーター１１０、及びディスプレイ、つまり複数のＬＥＤ２４〜２８の点灯を制御する。使用者が操作部２０のボタン２１、２２、２３を操作すれば、それに対応する制御信号を出力し、ＬＥＤ２４〜２８の点灯信号を出力することになるものである。図１０のフローチャートを参照してより詳細に説明すれば次のようである。
【００４９】
電源ボタン２２が操作されれば（Ｓ１）、制御部２００は、電源ボタンのオン信号を受けて電源ＬＥＤ２７をオンさせ、保護ロック表示ＬＥＤ２８をオンさせる制御信号を出力する（Ｓ２）。そして、機能ボタン２１と保護ロックボタン２３が同時に操作されるかを判断し（Ｓ３）、操作されれば、機能ボタン２１がオン状態で設定時間以上保護ロックボタン２３がオンになれば（Ｓ４）、保護ロック状態を解除し、保護ロック表示ＬＥＤ２８をオフさせる制御信号を出力する（Ｓ５）。
【００５０】
その後、機能ボタン２１が操作されるかを判断し（Ｓ６）、操作されれば、ボタン２１が押される回数によって、予め設定されたモードであるかを判断する。機能ボタン２１が操作されなければ、電源ボタン２２が操作されるかを判断し（Ｓ１５）、操作されれば、ディスプレイ２４〜２８のＬＥＤ及び紫外線ランプ５０、モーター８０、ヒーター１１０、電磁石１６３をオフさせ、機能ボタン２１が操作されるかを判断する段階（Ｓ６）にリターンする。
【００５１】
機能ボタン２１が一度だけ操作されれば、制御部２００は予め設定された殺菌モード（Ｍｏｄｅ１）と判断し（Ｓ７）、前記センサー部７０から感知信号の有無を受け（Ｓ８）、複数のＩＲセンサーの中で二つ以上のＩＲセンサーからオン信号が入力されれば、紫外線ランプ５０、紫外線ＬＥＤ１３０及び殺菌ＬＥＤ２４をオンさせる制御信号を出力する（Ｓ９）。
【００５２】
前記センサー部７０に対する回路図が図９に示されている。ＩＲセンサーの出力側Ｂで出力信号に任意のキャリア成分を挿入して符号化させ、受光部側Ｃで低域通過フィルターＲ５、Ｃ１を使用し、前記キャリア成分が挿入された出力信号を復号化して、外部からのノイズ及び外乱によって出力信号が変化しないようにする。
【００５３】
前記機能ボタン２１が二度操作されれば、制御部２００は、予め設定された殺菌及び掃除モード（Ｍｏｄｅ２）と判断し（Ｓ１０）、前記センサー部７０から感知信号を受け、複数のＩＲセンサーの中で二つ以上のＩＲセンサーからオン信号が入力されれば（Ｓ１１）、紫外線ランプ５０、紫外線ＬＥＤ１３０、モーター８０、及び電磁石１６３にオン動作信号を出力して、打撃棒１６４が掃除対象物を打つことにより、微細害虫及びほこりなどを掃除対象物の表面から打ち落として殺菌し、モーター８０の吸入力で微細害虫及びほこりなどを吸入して、殺菌及び掃除を同時に実行するようにする。
【００５４】
前記機能ボタン２１が三度操作されれば、制御部２００は、予め設定された掃除モード（Ｍｏｄｅ３）と判断し、前記センサー部７０から感知信号を受け、複数のＩＲセンサーの中で二つ以上のＩＲセンサーからオン信号が入力されれば、モーター８０にオン動作信号を出力してほこりなどを吸入するようにする。
【００５５】
前記センサー部７０は複数のＩＲセンサーを含んでいるもので、近づいた物体の有無を感知するために備えられたものである。すなわち、殺菌装置１０００が使用者によって殺菌及び掃除対象物から分離される場合、操作部２０の機能ボタン２１が操作しても動作しないようにするためのものである。
【００５６】
図１２乃至図１４は本発明の第３実施例による寝具用殺菌装置を示すもので、図１２は本発明による寝具用殺菌装置の第３実施例を示す斜視図、図１３は本発明の第３実施例による寝具用殺菌装置の部分分解斜視図、図１４は本発明の第３実施例による寝具用殺菌装置の断面図である。
【００５７】
本実施例の殺菌装置２０００は、底面及びその底面に隣り合う側面に延長され、複数リブ２１１が延長方向に形成された吸着防止通路２１０が形成されたハウジング２１００と、前記ハウジング２１００の上面に設置され、外部の操作によってハウジング２１００の内部のモーター２９０及び／又は紫外線放射部２５０のオン／オフ信号を出力する操作部２２０と、前記ハウジング２１００の内部に、底面側に突出するように設置され、殺菌対象物を打つための打撃部２６０と、前記吸着防止通路２１０に沿って吸入口（図示せず）を通じてハウジング２１００の内部に流入する空気を浄化し、前記ハウジング２１００の上部側に挿設される第１フィルター部２３０と、モーターが装着され、内部から外部側に突出するようにハウジングの内部に形成されたモーター装着部２１１０を取り囲むように着脱可能に設置される第２フィルター部２４０とを含む。前記ハウジング２１００の上面には、内部に設置された紫外線放射部２５０の紫外線ランプ（図示せず）の動作状態を外部から肉眼で識別できるように、表示窓２８０がさらに形成されている。前記表示窓２８０は、貫通孔２８２と、前記貫通孔２８２に設置され、光は透過するが紫外線は遮断する表示部材２８１とからなる。前記モーター装着部２１１０には、空気を排出するための排出口２１１１が形成されている。
【００５８】
前記第２フィルター部２４０は、前記ハウジング２１００のモーター装着部２１１０を取り囲むようにハウジング２１００に形成された結合孔（図示せず）と結合するための結合手段２４３が備えられたたケース２４１と、前記ケース２４１の内部に設置され、空気中の異物を濾過するために設置されたフィルター部材２４２とを含む。前記フィルター部材２４２の空気透過率は、前記第１フィルター部２３０のフィルター部材より低い。
【００５９】
前記モーター２９０には、過熱防止ユニット２９２がさらに設置される。前記過熱防止ユニット２９２は、モーターの発熱を感知して、設定温度以上の熱が一定時間以上感知されれば、前記モーターの動作を遮断する。すなわち、前記第２フィルター部２４０がモーター装着部２１１０を取り囲むように設置され、フィルター部材２４２の透過率が低いので、モーターから発生した熱が第２フィルター部２４０に一部存在し、その熱により、フィルター部材２４２で濾過された微細害虫を殺虫することができるものである。よって、過熱防止ユニット２９２を設置することで、必要以上の熱が一定時間以上発生すれば、モーターの動作を遮断して、過熱による故障発生を防止することになる。
【００６０】
前記打撃部２６０は多様な実施例に具現可能である。例えば、電磁石と永久磁石を備え、前記電磁石の極性が変わるようにして、搖れるようにし、揺動部位に打撃棒（図示せず）を設置して具現することができ、あるいは振動モーターと振動モータによって上下又は左右に揺れるようにする打撃棒とを設置して具現することができる。
【００６１】
本実施例の寝具用殺菌装置２０００は、打撃部２６０の打撃によって、寝具類の表面にくっついているほこりや微細害虫が寝具類から打ち落とされ、モーターの動作によるファン２９１の吸入力によって、吸入口を通じてほこり及び微細害虫を含む空気を流入させて第１フィルター部２３０で一次的に浄化し、モーターを通過した空気中のほこりや微細害虫を第２フィルター部２４０によって完全に除去することになる。この際、第２フィルター部２４０で濾過された微細害虫はモーターの動作熱によって殺虫される。
【００６２】
図１５は本発明の第４実施例による寝具用殺菌装置を示す図で、吸着防止通路２１０’に形成されたリブ２１１’がハウジング２１００の上面まで形成されたことを特徴とする。すなわち、寝具類の表面の厚さが薄い場合、表面が押し上げられて、図１及び図２に示す吸着防止通路２１０を塞ぐ可能性があるので、前記リブ２１１’をハウジングの上面まで形成して、寝具類の表面が吸着防止通路２１０’を塞ぐことを防止する。本実施例においては、図１５に示すように、リブ２１１’が垂直方向に中央側まで形成されたものを一例とするが、これに限定されるものではなく、リブがハウジング２１００の上面まで形成されるものも充分に可能である。
【００６３】
図１６は本発明の第５実施例による寝具用殺菌装置を示す図で、図１２〜図１３に示す吸着防止通路２１０が厚さの薄い寝具類で塞がって、ハウジングの内部への空気流入ができない現象を防止するために、前記吸着防止通路２１０に接するとともにハウジングの外面から一定間隔離隔してハウジングの上面まで取り囲むように設置される別途の吸着防止キャップ２７０が設置されたものを示している。前記吸着防止キャップ２７０とハウジング２１００は一定間隔離隔し、前記離隔した空間を通じて空気移動通路が確保されるので、真空現象の発生が防止され、寝具類上での円滑な移動が可能となる。
【００６４】
図１７は本発明の第６実施例による寝具用殺菌装置を示す図で、紫外線放射部２５０’がハウジングの外面に脱着可能に設置されたものを示している。前記第６実施例の紫外線放射部２５０’は、紫外線ランプ（図示せず）のオン／オフのためのスイッチ２５１’と、電源供給のための電源部２５２’とを含む。すなわち、紫外線殺菌のみを行うときには、前記紫外線放射部２５０’を分離し、スイッチ２５１’を操作することで、紫外線殺菌のみを行うことができ、紫外線殺菌とともに掃除の機能も行うときには、前記ハウジング２１００の上面に結合して動作を行う。
【００６５】
図１８は本発明の第７実施例による寝具用殺菌装置を示す図で、ハウジングの内部に、紫外線放射部２５０が底面に紫外線を放射するように設置されている。さらに、殺菌対象物を打つことで、対象物の表面にくっついているほこりなどを打ち落とすための打撃部２６０がハウジングの内部に設置されており、カーペットなどの寝具類の掃除の際、カーペットの底面周囲に存在する異物、例えばほこり、髪の毛、動物毛などを容易にカーペットから掻き落とすためのブラシ部２１１０が設置されている。
【００６６】
前記紫外線放射部２５０は、前記リブ２１１によって、床面から一定間隔離隔しているので、ほこりなどの異物がくっつかないように設置されている。前記ブラシ部２１１０は、殺菌装置の長手方向に垂直な方向に配列されたブラシと、前記ブラシを回転させるためのモーター２１１１とを含む。前記図１８に示す寝具用殺菌装置は、紫外線で殺菌し、打撃部２６０で打撃を加え、ブラシで異物を掃き出して吸入することにより、殺菌による害虫の除去と打撃部及びブラシ部の動作によってほこりなどの異物の除去効率が高くなる。
【００６７】
図１９は本発明の第８実施例による寝具用殺菌装置を示す図で、通常に使用される真空清掃器に、前記図１８に示す実施例の殺菌装置を適用したものである。
【００６８】
すなわち、使用者が把持する取っ手２３００に別途の操作部２３１０を備え、紫外線放射部２５０、打撃部２６０及びブラシ部２１００の動作を前記操作部２３１０で制御可能にし、吸入された空気を第１フィルター部２３０及び第２フィルター部２４００で浄化した後、ホース（図示せず）を通じて外部に排出する。この際、前記第２フィルター部２４００は、第１フィルター部２３０と同様に上部に排出するように形成することもできる。
【００６９】
図２０は本発明の第９実施例による寝具用殺菌装置を示す図で、前記ハウジングの前記第２フィルター部２４０に隣接して、第２フィルター部２４０の通風孔２４４を通じて出た空気が使用者側に向かわないように、空気をガイドするためのガイド部２４５がさらに設置されているものを示す。寝具用殺菌装置の駆動の際、第２フィルター部２４０の通風孔２４４を通じて出た空気が使用者に直接向かうことになり、使用者が不快感を感じる可能性があるので、前記ガイド部２４４をハウジングにさらに設置して、第２フィルター部２４０の通風孔２４４を通じて出た空気が使用者側ではない他の方向に流れるようにする。
【００７０】
図２１は本発明の第１０実施例による第２フィルター部を示す図で、前記第２フィルター部２４０’が両側面に着脱可能に設置されるものを示す。
【００７１】
前述した多様な実施例において、第２フィルター部のフィルターはＨＥＰＡフィルターを使用するが、これに限定されるものではない。
【００７２】
以上に説明し図面に示した本発明の好ましい実施例は本発明の技術的範囲を限定するものとして解釈されてはいけない。本発明の保護範囲は請求範囲に記載した事項によってだけ制限され、本発明の技術分野で通常の知識を持った者によって本発明の技術的思想を多様な形態に改良変更することが可能である。したがって、このような改良及び変更は、通常の知識を持った者に明らかである限り、本発明の保護範囲に属するものであろう。
【産業上の利用可能性】
【００７３】
前記のような本発明の殺菌装置は、一側底面と前記底面に隣り合う側面まで吸着防止通路が延長されるので、前記底面側吸着防止通路がフレキシブルな掃除対象物で塞がっても、前記側面側吸着防止通路による吸入が可能となり、よって従来の吸着防止通路が塞がって、殺菌又は掃除のための前方への移動が容易でなかった欠点を解消する。
【００７４】
また、本発明の殺菌装置は、紫外線ランプの外に、前記フィルターに隣接して紫外線ＬＥＤをさらに設置し、排出口に隣接してヒーターを設置することで、殺菌装置のハウジングの内部に流入する微細害虫を二重又は三重に殺菌するので、だになどの微細害虫に対する高い殺菌力を有する。
【００７５】
また、本発明の殺菌装置は、フィルター部分を区画し、吸着防止通路側からフィルター側に流入する空気だけ吸入し、排出は防止することにより、殺菌装置による微細害虫及びほこりの流出を遮断する効果があり、特にフィルターの容易な入れ替えを可能にして、使用者に高信頼性を提供する利点がある。
【００７６】
また、本発明の殺菌装置は、複数の赤外線センサーをハウジングの底面に設置することで、発光端から発光された赤外線を受光端で感知することができなければ、発光端の正面で感知される物体、つまり対象物がないと判断し、受光端で感知されれば、対象物があると判断し、対象物がないときは動作を停止するようにして使用者に便宜を提供する。
【００７７】
また、本発明の殺菌装置は、布団又はカーペットなどの寝具類などを打つことができる打撃部を備え、前記打撃部の打撃によって、前記布団及びカーペットの表面に存在する微細害虫及びほこりなどを打ち落とし、前記打ち落とされた微細害虫及びほこりなどを殺菌するか吸入して除去することにより、殺菌及び掃除の効率が上昇する効果がある。
【００７８】
また、本発明の殺菌装置は、吸入空気を浄化するための濾過手段を二重に備えることにより、空気中のほこりや微細害虫の除去効率が高くなり、特に第２濾過手段を、モーターが発生する熱を一部収容するように設置して、モーターの熱によって、濾過された微細害虫を殺虫するようにすることにより、だになどの害虫除去の効率が高くなる。
【００７９】
また、底面及びその底面に隣り合う側面まで延長されるように吸着防止通路が形成されても、寝具類のスリップ現象が発生して吸着防止通路まで塞がる現象が生じる可能性がある場合に、吸着防止通路からハウジングの上面まで延長されるように形成又は設置される複数のリブ又は別途のキャップによって空気の流入通路が確保されることにより、殺菌又は掃除のための前方への移動が容易でない欠点を解消する。
【００８０】
また、紫外線を放射する手段をハウジングの上面に脱着可能に設置することで、紫外線放射手段のみを別に脱去して紫外線殺菌のみを行うために使用することができるので、使用者が所望の機能を便利に利用することができる利点がある。
【００８１】
また、紫外線放射手段がハウジングの内部に設置されている場合、紫外線放射手段の動作状態を使用者が目で容易に識別することができるように表示窓を備えることにより、紫外線放射の際に使用者の不注意による事故を事前に防止することになるので、使用者に製品に対する高信頼性を提供することになる。
【００８２】
また、紫外線放射手段を殺菌対象物から一定間隔離隔することで、紫外線放射手段にほこりなどの異物が付かないようにして、使用者にいつも清潔感を提供する。
【００８３】
また、カーペットなどを掃除するための別途のブラシをさらに備えることで、カーペットの床上周りに存在する髪の毛又はペットの毛などを容易に掃除することができる。
【図面の簡単な説明】
【００８４】
【図１】図１は本発明の第１実施例による殺菌装置を示す斜視図である。
【図２】図２は本発明の第１実施例による殺菌装置の底面斜視図である。
【図３】図３は図１のＡ−Ａ線についての断面図である。
【図４】図４は本発明の第１実施例による殺菌装置のフィルター部を説明するための分解斜視図である。
【図５】図５は本発明の第２実施例による殺菌装置の吸着防止通路を示す図である。
【図６】図６は本発明の第２実施例による殺菌装置の移動手段を示す図である。
【図７】図７は本発明の第１実施例による殺菌装置の制御動作を説明するためのブロック図である。
【図８】図８は本発明の第１実施例による殺菌装置の操作部を示す図である。
【図９】図９は本発明の第１実施例による殺菌装置の赤外線センサー部を説明するための回路図である。
【図１０】図１０は本発明の第１実施例による殺菌装置の制御部の動作を説明するためのフローチャートである。
【図１１】図１１は図２の“Ａ”部分を説明するための部分拡大断面図である。
【図１２】図１２は本発明による寝具用殺菌装置の第３実施例を示す斜視図である。
【図１３】図１３は本発明の第３実施例による寝具用殺菌装置の部分分解斜視図である。
【図１４】図１４は本発明の第３実施例による寝具用殺菌装置の断面図である。
【図１５】図１５は本発明の第４実施例による寝具用殺菌装置の斜視図及び部分断面図である。
【図１６】図１６は本発明の第５実施例による寝具用殺菌装置の部分断面図である。
【図１７】図１７は本発明の第６実施例による寝具用殺菌装置の斜視図である。
【図１８】図１８は本発明の第７実施例による寝具用殺菌装置を説明するための断面図である。
【図１９】図１９は本発明の第８実施例による寝具用殺菌装置を説明するための図である。
【図２０】図２０は本発明の第９実施例による寝具用殺菌装置を説明するための図である。
【図２１】図２１は本発明の第１０実施例他の寝具用殺菌装置を説明するための図である。
【図２２】図２２は従来の紫外線ランプを含む清掃機を説明するための図である。
【符号の説明】
【００８５】
１０：吸着防止通路
２０：操作部
３０：フィルター部
４０：取っ手
５０：紫外線ランプ
６０：車輪
７０：赤外線センサー
８０：モーター
９０：排出口
１００：ハウジング
１１０：ヒーター
１２０：モーター装着部
１３０：紫外線ＬＥＤ
１４０：チェックバルブ
１５０：フィルター装着部
１６０：打撃部
２１０：吸着防止通路
２１１：リブ
２２０：操作部
２３０：第１フィルター部
２４０：第２フィルター部
２５０：紫外線放射部
２６０：打撃部
２９０：モーター
２１００：ハウジング
２１１０：ブラシ部
【図１】
2008543356.tif 000003
【図２】
2008543356.tif 000004
【図３】
2008543356.tif 000005
【図４】
2008543356.tif 000006
【図５】
2008543356.tif 000007
【図６】
2008543356.tif 000008
【図７】
2008543356.tif 000009
【図８】
2008543356.tif 000010
【図９】
2008543356.tif 000011
【図１０】
2008543356.tif 000012
【図１１】
2008543356.tif 000013
【図１２】
2008543356.tif 000014
【図１３】
2008543356.tif 000015
【図１４】
2008543356.tif 000016
【図１５】
2008543356.tif 000017
【図１６】
2008543356.tif 000018
【図１７】
2008543356.tif 000019
【図１８】
2008543356.tif 000020
【図１９】
2008543356.tif 000021
【図２０】
2008543356.tif 000022
【図２１】
2008543356.tif 000023
【図２２】
2008543356.tif 000024
【国際調査報告】
2008543356.tif 000025
2008543356.tif 000026